(57)【要約】      （修正有）【課題】二つの偏心回転ディスクによって自在座り台を８字形の軌跡で移動させることにより、自在座り台に座っているユーザの腰部を捩れることが可能な腰捩れ用健康器具を提供する。【解決手段】台座１０と、台座の内部に設けられており、その心棒にワーム２２が固定されているモータ２０と、台座の内部に設けられており、ワームと噛合っている二つのギアユニット３０と、台座の内部から台座の上面を挿通して外部に突出しており、二つのギアユニットにそれぞれ固定されている二つの偏心回転ディスク４０と、その底面には、第１連結部と、第２連結部と、が設けられており、第１連結部は二つの偏心回転ディスクの第１偏心軸４１に枢着されており、第２連結部は二つの偏心回転ディスクの第２偏心軸４２に枢着されている自在座り台５０と、を含む。【選択図】図２
0003187881.tif 000002
【実用新案登録請求の範囲】
【請求項１】
台座と、
前記台座の内部に設けられており、その心棒にワームが固定されているモータと、
前記台座の内部に設けられており、前記ワームと噛合っている二つのギアユニットと、
前記台座の内部から前記台座の上面を挿通して外部に突出しており、前記二つのギアユニットにそれぞれ固定されている二つの偏心回転ディスクと、
その底面には、第１連結部と、第２連結部と、が設けられており、前記第１連結部は前記二つの偏心回転ディスクの第１偏心軸に枢着されており、前記第２連結部は前記二つの偏心回転ディスクの第２偏心軸に枢着されている自在座り台と、
を含むことを特徴とする腰捩れ用健康器具。
【請求項２】
前記第１連結部は楕円形穴であり、前記第２連結部は円形穴であり、前記楕円形穴には、移動及び回転が可能である第１軸受が組み付けられており、前記第１軸受に第１偏心軸が組み付けられており、前記円形穴には、回転可能で移動できない第２軸受が組み付けられており、前記第２軸受に第２偏心軸が組み付けられていることを特徴とする、請求項１に記載の腰捩れ用健康器具。
【請求項３】
前記自在座り台と前記台座の間には、前記自在座り台を支持する複数の玉が均一に分布されていることを特徴とする、請求項１に記載の腰捩れ用健康器具。
【請求項４】
前記二つのギアユニットは、構造が同じである二つの第１ギアを含み、前記二つの第１ギアは前記ワームと噛合っており、二つの第２ギアはそれぞれ前記二つの第１ギアと一体成形されており、二つの第３ギアはそれぞれ前記二つの第２ギアと噛合っており、前記第３ギアと一体成形された軸部に偏心回転ディスクが固定されていることを特徴とする、請求項１に記載の腰捩れ用健康器具。
【請求項５】
前記二つの第１ギアは、それぞれ前記ワームと噛合っており、その回転方向が互いに反対することを特徴とする、請求項４に記載の腰捩れ用健康器具。
【請求項６】
前記自在座り台の外面は、スポンジ製パッドに包まれていることを特徴とする、請求項１に記載の腰捩れ用健康器具。
【考案の詳細な説明】
【技術分野】
【０００１】
本考案は、健康器具に関し、特に、二つの偏心回転ディスクによって自在座り台を８字形の軌跡で移動させることにより、自在座り台に座っているユーザの腰部を捩れることが可能な腰捩れ用健康器具に関するものである。
【背景技術】
【０００２】
市販している健康器具は、種類が極めて多く、例えばランニングマシン、サイクリングマシン、腹筋トレーニングマシン及び筋トレーニングマシンなどがある。しかし、これらの健康器具は、簡単な動作を繰り返すだけであり、腰部を捩れる効果を有しない。ユーザは、簡単な動作をずっと繰り返すと、当該運動に対する熱情が失ってしまい、そして一部の関節が運動すぎるが、大半の関節が運動不足である問題があった。
【考案の概要】
【考案が解決しようとする課題】
【０００３】
本考案の主な目的は、二つの偏心回転ディスクによって自在座り台を８字形の軌跡で移動させることにより、自在座り台に座っているユーザの腰部を捩れることが可能な腰捩れ用健康器具を提供することにある。
【課題を解決するための手段】
【０００４】
本考案の腰捩れ用健康器具によると、台座と、台座の内部に設けられており、その心棒にワームが固定されているモータと、台座の内部に設けられており、ワームと噛合っている二つのギアユニットと、台座の内部から台座の上面を挿通して外部に突出しており、二つのギアユニットにそれぞれ固定されている二つの偏心回転ディスクと、その底面には、第１連結部と、第２連結部と、が設けられており、第１連結部は二つの偏心回転ディスクの第１偏心軸に枢着されており、第２連結部は二つの偏心回転ディスクの第２偏心軸に枢着されている自在座り台と、を含むことを特徴とする。
【０００５】
本考案の腰捩れ用健康器具によると、第１連結部は楕円形穴であり、第２連結部は円形穴であり、楕円形穴には、移動及び回転が可能である第１軸受が組み付けられており、第１軸受に第１偏心軸が組み付けられており、円形穴には、回転可能で移動できない第２軸受が組み付けられており、第２軸受に第２偏心軸が組み付けられていることを特徴とする。
【０００６】
本考案の腰捩れ用健康器具によると、自在座り台と台座の間には、自在座り台を支持する複数の玉が均一に分布されていることを特徴とする。
【０００７】
本考案の腰捩れ用健康器具によると、二つのギアユニットは、構造が同じである二つの第１ギアを含み、二つの第１ギアはワームと噛合っており、二つの第２ギアはそれぞれ二つの第１ギアと一体成形されており、二つの第３ギアはそれぞれ二つの第２ギアと噛合っており、第３ギアと一体成形された軸部に偏心回転ディスクが固定されていることを特徴とする。
【０００８】
本考案の腰捩れ用健康器具によると、二つの第１ギアは、それぞれワームと噛合っており、その回転方向が互いに反対することを特徴とする。
【０００９】
本考案の腰捩れ用健康器具によると、自在座り台の外面は、スポンジ製パッドに包まれていることを特徴とする。
【考案の効果】
【００１０】
本考案の腰捩れ用健康器具によれば、二つの偏心回転ディスクによって自在座り台を８字形の軌跡で移動させることにより、自在座り台に座っているユーザの腰部を捩れることが可能であるという効果を有する。
【図面の簡単な説明】
【００１１】
【図１】本考案の一実施例の組合済み状態を示す斜視図である。
【図２】本考案の一実施例を示す分解斜視図である。
【図３】本考案の自在座り台を示す分解斜視図である。
【図４】本考案のギアユニットを示す分解斜視図である。
【図５】本考案の一実施例を示す側面図である。
【図６】本考案の一実施例を示す側面断面図である。
【図７】本考案の一実施例の偏心回転ディスクの動作を示す模式図である。
【図８】本考案の一実施例の使用状態を示す模式図である。
【考案を実施するための最良の形態】
【００１２】
以下、本考案の実施の形態を図面に基づいて説明する。
図１から図７を参照する。図１は本考案の一実施例の組合済み状態を示す斜視図であり、図２は本考案の一実施例を示す分解斜視図であり、図３は本考案の自在座り台を示す分解斜視図であり、図４は本考案のギアユニットを示す分解斜視図であり、図５は本考案の一実施例を示す側面図であり、図６は本考案の一実施例を示す側面断面図であり、図７は本考案の一実施例の偏心回転ディスクの動作を示す模式図である。本考案の一実施例の腰捩れ用健康器具は、台座１０と、モータ２０と、二つのギアユニット３０と、二つの偏心回転ディスク４０と、自在座り台５０と、を含む。
【００１３】
モータ２０は、台座１０の内部に設けられており、その心棒２１にワーム２２が固定されている。
【００１４】
二つのギアユニット３０は、台座１０の内部に設けられており、ワーム２２と噛合っている。
【００１５】
二つの偏心回転ディスク４０は、台座１０の内部から台座１０の上面を挿通して外部に突出しており、二つのギアユニット３０にそれぞれ固定されている。
【００１６】
自在座り台５０の底面には、第１連結部５１と、第２連結部５２と、が設けられている。第１連結部５１は二つの偏心回転ディスク４０の第１偏心軸４１に枢着されている。第２連結部５２は二つの偏心回転ディスク４０の第２偏心軸４２に枢着されている。このように、モータ２０により、二つのギアユニット３０が駆動されて、二つのギアユニット３０がそれぞれ二つの偏心回転ディスク４０を駆動して、二つの偏心回転ディスク４０により、第１偏心軸４１と第２偏心軸４２は、偏心運動をして、自在座り台５０を８字形の軌跡に沿って捩れる。このように、自在座り台に座っているユーザの腰部を捩れることが可能である。
【００１７】
本実施例の腰捩れ用健康器具は、第１連結部５１が楕円形穴であり、第２連結部５２が円形穴である。前記楕円形穴には、移動及び回転が可能である第１軸受５１１が組み付けられている。第１軸受５１１に第１偏心軸４１が組み付けられている。前記円形穴には、回転可能で移動できない第２軸受５２１が組み付けられている。第２軸受５２１に第２偏心軸４２が組み付けられている。
【００１８】
自在座り台５０と台座１０の間には、自在座り台５０を支持する複数の玉６０が均一に分布されている。このように、自在座り台５０の受け可能な負荷を増加することが可能であり、自在座り台５０の移動の自由度を増加することも可能である。
【００１９】
二つのギアユニット３０は、第１ギア３１ａ、３１ｂを含み、第１ギア３１ａが第１ギア３１ｂと同じである。第１ギア３１ａ、３１ｂはワーム２２と噛合っている。第２ギア３２ａ、３２ｂはそれぞれ第１ギア３１ａ、３１ｂと一体成形されている。第３ギア３３ａ、３３ｂはそれぞれ第２ギア３２ａ、３２ｂと噛合っている。第３ギア３３ａと一体成形された軸部３４ａには、偏心回転ディスク４０が固定されている。第３ギア３３ｂと一体成形された軸部３４ｂには、偏心回転ディスク４０が固定されている。
【００２０】
ワーム２２の両側に位置している第１ギア３１ａ、３１ｂは、それぞれワーム２２と噛合っており、その回転方向が互いに反対する。
【００２１】
自在座り台５０の外面は、スポンジ製パッド７０に包まれている。
【００２２】
図１から図８を参照する。本考案の腰捩れ用健康器具は、自在座り台５０が台座１０に移動自在に設けられており、台座１０の内部には、モータ２０の心棒２１に固定されているワーム２２が設けられており、台座１０の内部にギアユニット３０が設けられており、ギアユニット３０がワーム２２と噛合っている。ギアユニット３０により、二つの偏心回転ディスク４０がそれぞれ駆動される。二つの偏心回転ディスク４０の第１偏心軸４１と第２偏心軸４２とは、自在座り台５０の第１連結部５１と第２連結部５２にそれぞれ結合されている。このように、二つの偏心回転ディスク４０を回転することにより、自在座り台５０が駆動されて８字形の軌跡に沿って捩れる。これにより、本考案の腰捩れ用健康器具は、自在座り台５０に座っているユーザの腰部を捩れることが可能である。
【産業上の利用可能性】
【００２３】
本考案は、健康器具に適用することができる。
【符号の説明】
【００２４】
１０  台座
２０  モータ
２１  心棒
２２  ワーム
３０  ギアユニット
３１ａ  第１ギア
３１ｂ  第１ギア
３２ａ  第２ギア
３２ｂ  第２ギア
３３ａ  第３ギア
３３ｂ  第３ギア
３４ａ  軸部
３４ｂ  軸部
４１  第１偏心軸
４０  偏心回転ディスク
４２  第２偏心軸
５０  自在座り台
５１  第１連結部
５２  第２連結部
６０  玉
７０  スポンジ製パッド
５１１  第１軸受
５２１  第２軸受
【図１】
0003187881.tif 000003
【図２】
0003187881.tif 000004
【図３】
0003187881.tif 000005
【図４】
0003187881.tif 000006
【図５】
0003187881.tif 000007
【図６】
0003187881.tif 000008
【図７】
0003187881.tif 000009
【図８】
0003187881.tif 000010